(57)【要約】【課題】  ポインタの移動操作が容易なポインティングデバイスとこれを用いた撮影装置などの情報入力装置・カメラを提供することにある。【解決手段】  表示画面に表示されるポインタを移動させるためのポインティングデバイスであって、指先の腹を接触し摺動させたときの、その移動方向、移動量に対応した結果をポインタの移動に反映させることを特徴とするポインティングデバイスを備えた情報入力装置。【選択図】        図１
2006157154.tif 000002
【特許請求の範囲】
【請求項１】
表示画面に表示されるポインタを移動させるためのポインティングデバイスであって、
指先の腹を接触し摺動させたときの、その移動方向、移動量に対応した結果をポインタの移動に反映させることを特徴とするポインティングデバイスを備えた情報入力装置。
【請求項２】
指紋検出型情報入力手段を備えたカメラであって
指の一部分が接触できるだけの面を有したセンサーを備え、
ここに指先の腹を接触し摺動させたときの、その移動方向、移動量に応じた結果を入力情報として反映させることでカメラの動作内容を選択、設定することを特徴とするカメラ。
【請求項３】
複数の光電変換素子が１次元あるいは２次元に配設された撮像素子を含み，各撮像素子は独立な焦点検出領域を形成する焦点検出手段と、
指先の腹を接触し摺動させたときの、その移動方向、移動量に応じた結果を反映させることで動作内容を選択、設定する情報入力手段とを備え、
情報入力手段の結果に基づいて選択された部位の焦点検出手段に基づいて焦点調節を行うことを特徴とするカメラ。
【請求項４】
指紋検出型情報入力手段を有するカメラであって
指の一部分を接触できるだけの面を有したセンサーを備え、
ここに指先の腹を接触し摺動させたときの、その移動方向、移動量に応じた結果を反映させることでカメラの動作内容を選択、設定するとともに、指紋パターンの検出を行い、その結果にもとづいて使用者を特定し、予め記憶しておいた該当する使用者固有の使用条件に動作内容および機能内容を設定することを特徴とするカメラ。
【請求項５】
請求項４の機能を有する視線検出機能を備えたカメラ。
【発明の詳細な説明】
【技術分野】
【０００１】
本発明は、カメラの情報入力装置に関するものであり、例えば画面内の複数領域のそれぞれについて独立に焦点状態を検出することのできる焦点検出手段を有する光学装置、焦点検出装置、及び、オートフォーカスカメラの改良を含む情報入力装置、カメラに関する。
【背景技術】
【０００２】
従来のデジタルビデオカメラやデジタルスチルカメラ、銀塩フィルムカメラ等の撮影機器におけるポインティングデバイスでは、回転式や十字ポインタ式がある。
【０００３】
複数の焦点検出領域から意図する部位を選択したり、デジタルビデオカメラやデジタルスチルカメラ、デジタルカメラでの再生された画像からの意図する部位の選択に使われている。
【０００４】
例えば、１眼レフカメラの焦点検出装置において、回転操作部材により焦点検出領域を選択するものである（例えば、特許文献１）。
【０００５】
それまでの多くとも６つ程度であった焦点検出領域の個数がエリアセンサから成る多数個の焦点検出領域を備えたものへと進化したことへの対応として、粗動と微動を選択的に行えるようにしている。
【０００６】
これにより、いずれの焦点検出領域の選択も素早く切り換えることができ、多数の焦点検出領域から意図する焦点検出領域の選択にかかる時間を短縮し、シャッタチャンスを逃してしまうことがないようにしている。
【０００７】
また、ポインティングデバイスとして、検出した指紋を使ったポインティングデバイスを用いた携帯情報端末の情報入力装置が提案されている（特許文献２）。
【０００８】
具体的には、透明なプレートを介して光学手段で指紋を検出し、その移動量と移動方向に応じて表示画面上のポインタを移動するものであり、ユーザーがプレートに指先を充てた状態で指先を動かすことで機能する。したがってポインタの移動方向を選択するために操作スイッチを操作する必要もない。
【０００９】
さらに、ポインティングデバイスであるプレートを押し込み操作に伴って動作する操作スイッチと組み合わせることで、押し込み操作によるスイッチ動作をポインタで指示される表示画面のメニューの「決定」機能とする。これにより、ポインテングデバイスの多機能化が図れ、携帯情報端末の操作面での操作スイッチの個数削減による機器のさらなる小型化が実現するものである。
【００１０】
また、指紋情報のカメラへの利用としては、撮影された画像の所有者を確実に把握するために、各カメラ毎に使用を許可する者を特定でき、許可されたＩＤを持つ使用者のみがカメラを使用できるようにしている。使用者のＩＤ情報の１つとして、人により異なり、また時間経過に伴う変化も少なく使用者の認証を確実に行うことができることから指紋パターンを用い、指紋パターン検出部をレリーズ釦上面に配設することで指紋照合を意識することなく指紋パターン検出することが提案されている（特許文献３）。
【００１１】
さらに、電子透かし埋め込み機能を備えたデジタルカメラにおいて、指紋を含むユーザーの身体的特徴からユーザーを識別し、識別した結果に基づいて埋め込みを行う複数のモードから埋め込みを行う１つのモードを選択することで
電子透かしの埋め込みのモードや埋め込むデータの設定が複数用意されていないことで生ずる、被写体別や撮影目的別に電子透かしの設定を変えたい場合や、あるいは１台のカメラを複数のユーザーで共同で使用する際、個別の設定に変更したい場合の、操作の煩わしさが改善されるとともに、それまでの、ユーザーが設定釦などを手動で操作することにより行うユーザー識別手段に比べて、容易、かつ確実であることが提案されている（特許文献４）。
【特許文献１】特開平１０−２６７２３号公報
【特許文献２】特開２００２−０６２９８３号公報
【特許文献３】特開２０００−１４７６２３号公報
【特許文献４】特開２００１−１４４９３７号公報
【発明の開示】
【発明が解決しようとする課題】
【００１２】
上述したように、
ポインテイングデバイスとして、回転式、十字ポインタさらには指紋検出によるもの、視線検出によるものが挙がる。
【００１３】
回転式ではスムーズな操作が可能だが、多機能化や搭載製品の小型化に対して不十分なところがある。一方で十字ポインタでは上下左右のポインタ移動方向ごとに送りスイッチを有するものだからより多くの選択項目に対応することができるが、１操作ごとにポインタが移動するため操作回数に手間取ることになる。
【００１４】
一般にカメラでは、シャッタチャンスは一瞬であるから、狙った被写体を常に観察し、いつでもレリーズできる状態にしておくことが必要である。
【００１５】
従って、カメラの動作設定操作にかかるスイッチ操作は的確かつ迅速さが要求される。例えば、僅かな時間で動いてしまう被写体であっても、焦点検出領域を適確に選択し、焦点調節装置において素速く焦点調節が行えるようにすることが重要となる。この点、焦点検出領域が６個程度の焦点検出装置では、操作部材の１回の操作で１ヶ所ずつ隣接の焦点検出領域に切り換える方法であっても、比較的容易に焦点検出領域の選択ができる。
【００１６】
しかしながら、エリアセンサから成る多数個の焦点検出領域を備えた焦点検出装置では、いずれの焦点検出領域へも、素速く切り換えることは難しく、この間にシャッタチャンスを逃してしまう問題が生じる。
【００１７】
また、焦点調節すべき意図する被写体が小さい場合では、その僅かな被写体を捉えている焦点検出領域を適確に切り換えることは難しい。
【００１８】
また、視線検出による焦点検出領域の選択では焦点検出領域選択そのものにかかる時間は確かに改善されるが、焦点検出領域の多数化への対応として視線の検出精度ｕｐが必要となるとともに、カメラの一連の操作性として、視線の個人差補正であるキヤリブレーションの手間を簡潔化すべきことが課題である。
【００１９】
さらに、デジタルカメラでは背面に装着したカラー液晶パネルに表示される撮影再生画像の拡大部位の設定や、さまざまな動作モードの選択、設定を行う際にポインティングデバイスが使われているが、移動方向の選択と移動は個別の操作部材によるものであり、意図する内容を簡潔、迅速に行うことは用意ではない。
【００２０】
本発明の目的は、かかる問題を解消し、ポインタの移動操作が容易なポインティングデバイスとこれを用いた撮影装置などの情報入力装置・カメラを提供することにある。
【課題を解決するための手段】
【００２１】
請求項１に記載の情報入力装置としての光学装置あるいはカメラは、
表示画面に表示されるポインタを移動させるためのポインティングデバイスであって、指先の腹を接触し摺動させたときの、その移動方向、移動量に対応した結果をポインタの移動に反映させることを特徴とするポインティングデバイスを備えるものである。
【００２２】
請求項２に記載のカメラは、
指の一部分が接触できるだけの面を有したセンサーを備えた指紋検出型情報入力手段を有し、ここに指先の腹を接触し摺動させたときの、その移動方向、移動量に応じた結果を入力情報として反映させることでカメラの動作内容を選択、設定するものである。
【００２３】
請求項３に記載のカメラは、
複数の光電変換素子が１次元あるいは２次元に配設された撮像素子を含み，各撮像素子は独立な焦点検出領域を形成する焦点検出手段と、指先の腹を接触し摺動させたときの、その移動方向、移動量に応じた結果を反映させることで動作内容を選択、設定する情報入力手段とを備え、情報入力手段の結果に基づいて選択された部位の焦点検出手段に基づいて焦点調節を行うものである。
【００２４】
請求項４に記載のカメラは
指紋検出型情報入力手段を有するカメラであって、指の一部分を接触できるだけの面を有したセンサーを備え、ここに指先の腹を接触し摺動させたときの、その移動方向、移動量に応じた結果を反映させることでカメラの動作内容を選択、設定するとともに、指紋パターンの検出を行い、その結果にもとづいて使用者を特定し、予め記憶しておいた該当する使用者固有の使用条件に動作内容および機能内容を設定するものである。
【００２５】
請求項５に記載のカメラは
請求項４に記載のカメラに視線検出機能を備えた光学装置あるいはカメラである。
【発明の効果】
【００２６】
本発明によれば，焦点検出領域の選択を行うとき，カメラの背面に設けた情報入力部材に指先を触れ、かつ摺動させて入力する信号情報の内容により変更するようにしたから，これから選択する焦点検出領域が、現在選択されている焦点検出領域から垂直方向、水平方向、斜め方向のいずれであっても迅速に焦点検出領域の選択操作ができ使用感が向上するとともに，シャッターチャンスを逃すことがなくなる効果がある。
【００２７】
また，指紋検出機能を重畳できることから、一連のカメラ操作の中から意識することなくユーザーの特定、認証を同時に行うことができるので簡単な操作でカメラの信頼性を向上させる効果がある。
【００２８】
さらに、メイン電子ダイヤル、サブ電子ダイヤルなどの回転式情報入力方式に比べて、塵や埃、水滴といった環境の影響を受け難いとともに、設置スペースを削減することができ、特に、背面への設置では、省スペースとして大きな効果が得られる。
【００２９】
さらに、情報入力手段としては電子ダイヤル式と比べて摺動速度に連動したアナログ的操作が可能でありユーザーの意思をより的確に反映させることができる効果が得られる。
【発明を実施するための最良の形態】
【００３０】
以下本発明を実施するための最良の形態を、実施例により詳しく説明する。
【実施例】
【００３１】
以下、添付図面にしたがって本発明にかかわる実施形態を詳細に説明する。
【００３２】
以下の説明はデジタルスチルカメラの場合で説明するが、本発明はこれに限定されず、例えば銀塩フィルムを使ったこれまでのごく一般的なカメラやビデオカメラなどにも適用できる。
【００３３】
（実施の第１の形態）
本実施形態例では検出した指紋パターンの移動量と方向により焦点検出領域の選択を行うデジタルスチルカメラについて説明する。
【００３４】
図１は本発明の第１の形態に係るカメラの背面図，図２は図１のカメラの上面図である。
【００３５】
図１及び図２において，
１１はカメラ本体
１は指紋検出型ポインティングデバイス
２はシャッター釦
８は露出制御モ−ドの中から１つを選択する露出制御モ−ド選択釦である。
９は焦点検出を行うフォ−カスモ−ド選択釦である。
１０は測光モード選択釦
２１は電源スイッチ
３２は接眼部，
３５は指紋検出型ポインテイングデバイス
３６は上面ＬＣＤパネル
３９は後述する焦点検出領域の中から１つを選択する焦点検出領域選択釦である。
４２は各種設定背面釦群
４６は背面ＬＣＤパネルである。
【００３６】
フォ−カスモ−ド選択等の上述のカメラの各モ−ドの選択（フォ−カスモ−ドでは，ワンショットもしくはサ−ボ等）は，上述の各種の釦３９，１０，８，９のいずれかを押し，カメラ本体の上面に配置してあるダイヤル１を回転させることにより選択することが可能でる。
【００３７】
また，露出制御モ−ド釦８，測光モ−ド選択釦１０の両方を押し込んだ時には，フィルムＩＳＯ感度を選択するモ−ドになる。そして露出制御モ−ド釦８，測光モ−ド選択釦１０の両方を押し込んだ状態で，更にカメラ本体１０の上面に配置してあるダイヤル１を回転させることにより，フィルムＩＳＯ感度を選択することが可能となる。
【００３８】
上面ＬＣＤパネル３６はカメラの動作モ−ド等の表示部であり，この表示内容で撮影者はカメラの設定内容を知ることができる。
【００３９】
２はレリ−ズ釦，１および３５はデジタル情報を含む各種情報を入力するための指紋検出ポインティングデバイスである。ロックスイッチ３４は指紋検出ポインティングデバイス３５の入力を禁止する機能を有する。
【００４０】
図３にこのデジタルスチルカメラの電気ブロック図を示す。
【００４１】
マイクロプロセッサ３０４は、たとえば、内部にＣＰＵ（中央演算処理部）、ＲＡＭ、ＥＥＰＲＯＭ（電気的消去可能プログラマブルＲＯＭ）、ビデオコントロ−ラ、入出力ポ−ト等が配置されたワンチップのコンピュ−タ（以下、マイコンと略記す）であって、フラッシュメモリ３０６に格納されたシ−ケンスプログラムに基づいて、一連の動作を行う。
【００４２】
撮像部３０１はＣＣＤエリアイメ−ジセンサあるいはＣＭＯＳエリアイメ−ジセンサの撮像素子とこれを駆動するセンサ駆動部とＡＧＣなどのアナログ信号処理部、Ａ／Ｄ変換部を備えており、読み出された光電変換出力に適したアナログ処理を施した後、デジタル信号に変換する。
【００４３】
着脱可能なレンズ４０１の光学系を通じて、撮影領域からの光束を撮像素子上に結像させており、撮像素子はこれを光電変換し電気的信号し、Ａ／Ｄ変換部にてデジタル値に変換して画像処理ＩＣ３０３へ出力する。
【００４４】
画像処理ＩＣ３０３は撮像部３０１からのデジタル出力データに色補間処理やフィルタリングなど一連の画像処理を行う。
【００４５】
ＪＰＥＧ  ＩＣ３０７は画像処理ＩＣ３０３からの出力を受けて画像圧縮する。画像処理ＩＣ３０３の出力はデ−タバス３１１を介してＪＰＥＧ  ＩＣ３０７にて圧縮されたのちに、ＤＲＡＭ３０８に格納される。
【００４６】
デ−タバス３１１にはマイクロプロセッサ３０４や複数の画像デ−タを保存するための着脱可能なメモリカード３１３へのメモリカードＩ／Ｆ３１０、シリアルバス３１２を介してパソコンなど外部の装置とのデ−タの授受を行うための外部シリアルＩ／Ｆ３０９が接続されている。
【００４７】
ＬＣＤモニタ２０３にはポインティングデバイス１００を含むスイッチ群１０１（各種操作部材）に関連する表示がなされ、撮影準備段階では各種設定入力画面であり、撮影後には設定内容に応じた再生画像とその情報が表示されるようになっている。
【００４８】
マイクロプロセッサ３０４はスイッチ群１０１（各種操作部材）の操作により設定された動作内容と、その操作により一連の撮影動作を行うから、レリーズ釦２が半押しされたことをスイッチ群１０１の内容から検出し、焦点調節部１０３による焦点調節情報を装着している着脱可能なレンズ４０１と通信して最適な焦点調節位置にレンズ４０１を調節する。その後、測光部１０２からの測光情報を装着している着脱可能なレンズ４０１と通信して、適正光量となるようレンズ４０１の絞りを調整する。
【００４９】
図１、図２との対応では、スイッチ群１０１（各種操作部材）が図１、図２に示す各種操作部材に該当し、ポインティングデバイス１００には図１の３５および図２の１が該当する。ＬＣＤモニタ２０３には、上面に配置されているカメラ動作モ−ド表示ＬＣＤ３６およびファインダ内ＬＣＤおよび背面ＬＣＤ４６が該当する。
【００５０】
次に焦点検出を行う領域とファインダ視野の関係について図４を用いて説明する。
【００５１】
図４（Ａ）は図１で示す接眼部３２からファイダを覗いた様子を示すものである。
【００５２】
図４（Ｂ）は説明のために図４（Ａ）から必要部を抽出したものである。同図において，ＦＩＭＳＫはファインダ視野領域を形成する視野マスク，ＦＩＡＲＡは，装着したレンズを通して被写体の観察ができる観察領域である。
【００５３】
ＦＤＳＰはファインダ内に撮影情報を表示するためのファインダ内ＬＣＤであり，シャッタ秒時，レンズの絞り値，露出補正値，ストロボが発光可能な状態，焦点検出結果を点灯表示する。焦点検出結果は，合焦マ−クＦＡＦの点灯状態で表され，合焦であるときに点灯，焦点調節不能時には明滅する。
【００５４】
同図は，説明のために全ての表示部が点灯した状態を示すもので，カメラの動作時は，動作状態に応じて点灯，あるいは消灯が独立に行われ，同図のように全ての表示が点灯することはない。
【００５５】
上述のＦＤＳＰを構成する各表示は，先述の図２にて説明したカメラ動作モ−ド表示ＬＣＤ３６にも同じ内容を示すものがある。
【００５６】
図４（Ｃ）は説明のために図４（Ｂ）の焦点検出可能範囲ＡＦＡＲＡを抽出したものである。
【００５７】
図４（Ｃ）に示すように，複数の焦点検出領域が２次元に配置されており、焦点検出可能な範囲は横方向にＬ個，縦方向にＫ個からなる焦点検出領域ＡＦＰＮＴで構成されている。図４（Ｂ）の左端上部が焦点検出領域ＡＦＰ＿１１である。
【００５８】
撮影者は焦点検出可能範囲ＡＦＡＲＡを構成する複数の焦点検出領域ＡＦＰＮＴから，任意の焦点検出領域を選択する。ＡＦＰ＿１１〜ＡＦＰ＿ＫＬのそれぞれは，焦点検出領域に選択されると，選択された焦点検出領域ＡＦＰＮＴは，不図示の光学系および照明装置により，撮影者が充分確認できる短い時間で四辺形の内側の周辺領域が赤く点灯する。
【００５９】
次に図１の３５、図２の１に示したポインティングデバイスの動作について図５を用いて説明する。
【００６０】
図５（Ａ）、図５（Ｂ）、図５（Ｃ）は上述のポインティングデバイスの指紋検出センサーに指を接触した状態で図示の矢印の方向に摺動した様子を示している。説明するために指紋検出センサーが指の上部にあるように表現しているが、実際には図５（Ｄ）に示すように指と指紋検出センサーは接触している。図５（Ｄ）は図５（Ａ）において摺動方向に直行する方向から見た様子を示す図である。
【００６１】
このとき、それぞれの図の状態により指紋センサーからの出力は少しずつ異なるものの、指紋センサーからの出力を２次元平面に展開し、展開データの共通部を求めるとその変移量が判り、共通部を重ね合わせるようにして展開データをつなぎ合わせると指紋データとして扱える情報が得られる。（指紋検出の方式は公知であり、詳細は特開平１０−２８９３０４号公報などを参照されたい。）
図５（Ｅ）に２次元座標に展開したときの一例を示す。ここでは、摺動方向が図５（Ｅ）において上部から下部への直線であるから図５（Ａ）の直前の状態である初期位置が「ｐｏｉｎｔ＿ｄｅｆ」にて示す座標中央位置であるならば、図５（Ｃ）の直後の状態が「ｐｏｉｎｔ＿ｅｎｄ」にて示す座標位置となる。
【００６２】
また、このとき、図５（Ａ）、図５（Ｂ）、図５（Ｃ）への変化に要した時間も同時に求めることができるから、変移量と速度、方向の３つがポインティングデバイスの出力として得られる。
【００６３】
また、摺動方向が図５と正反対の方向であれば、２次元座標に展開したときの移動方向は、「ｐｏｉｎｔ＿ｅｎｄ」にて示す座標位置から「ｐｏｉｎｔ＿ｄｅｆ」にて示す座標位置となる。
【００６４】
次に図２の１に示すポインティングデバイスを使った焦点検出領域選択動作についてまず図６を用いて説明する。
【００６５】
図６（Ａ）、図６（Ｂ）は上述のポインティングデバイスの指紋検出センサーに指を接触した状態で図示の矢印の方向に摺動した様子を示している。
【００６６】
図１の焦点検出領域領域選択釦３９を押し込み、カメラの動作モードを焦点検出領域選択モードとする。この状態を保持したまま図６（Ａ）のように指を摺動すると、マイクロプロセッサ３０４はポインティングデバイスからの出力で移動方向と移動量を受け取り、（焦点検出領域の移動方向が上部から下部への直線である）、図６（Ｂ）に示すように焦点検出領域をそれまでのＡＦＰ＿ＫＡの位置からＡＦＰ＿ＫＢの位置へ移動する。
【００６７】
次に図７、図８を用いてポインティングデバイスを使った焦点検出領域選択動作について説明する。図７（Ａ）、図７（Ｂ）、図７（Ｃ）と図８（Ａ）、図８（Ｂ）、図８（Ｃ）とでは指紋検出センサーと指の接触の向きが異なるもののいずれも移動方向は指紋検出センサーに対して左上から右下への斜め方向である。このときの、焦点検出領域選択動作は、図９（Ａ）、図９（Ｂ）のようになる。
【００６８】
すなわち、ポインティングデバイスの指紋検出センサーに指を接触した状態で図示の矢印のように斜め方向に摺動し、その結果、焦点検出領域はそれまでのＡＦＰ＿ＡＢの位置からＡＦＰ＿ＫＬである斜め方向へ移動する。
【００６９】
また、指の移動方向が図６（Ａ）に直行する方向であれば、焦点検出領域の移動方向も図６（Ｂ）に直行することも説明に付け加えておきたい。
【００７０】
以上説明したように、焦点検出領域を選択するときには２次元座標であっても、上述の方式で行えば、その移動方向が上下、左右、斜めのいづれであっても共通の単一操作で実現することができる。特に斜め方向は今までは横、縦の２つの個別方向への移動操作であったから、操作性の面で大きく改善される。
【００７１】
（実施の第２の形態）
実施の第１の形態では、検出した指紋パターンの移動量と方向により焦点検出領域の選択を行うポインティングデバイスを備えたカメラについて説明したが、指紋には個人特定や認証の機能として活用することも可能であるから、本実施形態例では、カメラへの個人特定機能の一例として、一連のカメラ操作の中からユーザーが意識することなく指紋パターンを検出を行い、その結果に基づいて視線検出の際に必要とするユーザー固有の視線補正量といえるキャリブレーション値の特定を行うデジタルスチルカメラについて説明する。
【００７２】
図１０、図１１に示す２つのフローチャートを使って視線検出装置を有したカメラの動作について説明する。
【００７３】
焦点調節領域の選択は公知の視線検出方式や手動による方式等により行われる。
カメラの各機能の説明は既に実施の第１の形態にて行っているので、ここでは省略する。
【００７４】
まず、図１０について説明する。
【００７５】
図１０は、視線検出装置を有したカメラの動作のフローチャートであり、これらをもとに以下説明する。
【００７６】
電源スイッチ２１を回転させてカメラの電源をオンする。（本実施例ではシャッタ優先ＡＥに設定された場合をもとに説明する）（＃１００）。
【００７７】
そして、カメラはポインティングデバイス１であるメインタッチセンサが操作されていないか（＃２０１）、ポインティングデバイス２であるサブタッチセンサが操作されていないか（＃２０２）を調べ、操作されないときには、初期設定内容に基づいた動作となるよう一連のカメラ動作内容を設定する（＃２０３）。
【００７８】
ユーザーは電源投入後に撮影のための一連の設定を行う際にメインタッチセンサあるいはサブタッチセンサを操作するので、ユーザーの指紋情報を検出することができる（＃３０１）。
【００７９】
識別できるときには、その内容からユーザーを特定し、対応するキャリブレーションデータがあればフラッシュメモリ３０６から読み出して、カメラ機能の１つとして使用状態にする（＃３０３〜＃３０８）。
【００８０】
識別はできたが対応するキヤリブレーションデータがないとき、あるいは識別できないときは、キャリブレーションデータ内容を初期設定にする（＃３０９）。
【００８１】
このように、一連のカメラの設定操作の間にユーザーの意識するところなく適切なキャリブレーションデータが設定されることになる。
【００８２】
カメラはレリーズ釦２が押し込まれてスイッチＳＷ１がＯＮされるまで待機する（＃１０２）。レリーズ釦２が押し込まれスイッチＳＷ１がＯＮされたことをスイッチ群１０１が検知すると、マイクロプロセッサ３０４は視線検出部１０４に確認する（＃１０４）。
【００８３】
視線検出部１０４は視線検出を実行する（＃１０４）。ここで視線検出部１０４において検出された視線はピント板上の注視点座標に変換される。マイクロプロセッサ３０４は該注視点座標に近接した焦点検出領域を選択し、不図示の表示回路に信号を送信してスーパーインポーズ用ＬＥＤを用いて焦点検出領域マークを点滅表示させる（＃１０５）。
【００８４】
焦点調節部１０３は検出された視線情報を用いて、１つ以上の焦点検出領域の焦点検出を実行し、焦点調節可能であり、所定のアルゴリズムで選択された焦点検出領域の焦点調節状態が合焦でなければレンズ４０１に信号を送って所定量撮影レンズ４０１を駆動させる（＃１０７）。レンズ駆動後、焦点調節部１０３は再度焦点検出を行い、撮影レンズ４０１が合焦しているか否かの判定を行う。
【００８５】
所定の焦点検出部において撮影レンズ４０１が合焦していたならば、マイクロプロセッサ３０４はＬＣＤ駆動回路に信号を送ってファインダ内ＬＣＤの合焦マークを点灯させると共に、合焦している焦点検出領域に合焦表示させる。
【００８６】
この時、前記視線によって選択された焦点調節部位の点滅表示は消灯するが、合焦表示される焦点調節部位と前記視線によって選択された焦点調節部位とは一致する場合が多いので、合焦したことを撮影者に認識させるために合焦焦点調節部位は点灯状態に設定される。合焦した焦点調節部位がファインダ内に表示されたのを撮影者が見て、その焦点調節部位が正しくないと認識してレリーズ釦２から手を離しスイッチＳＷ１をＯＦＦすると（＃１２０）、引き続きカメラはスイッチＳＷ１がＯＮされるまで待機する（＃１０２）。
【００８７】
また、撮影者が合焦表示された焦点調節部位を見て、引き続きスイッチＳＷ１をＯＮし続けたならば、マイクロプロセッサ３０４は測光部１０２に信号を送信して測光を行わせる（＃１１７）。
【００８８】
本実施例の場合、焦点調節部位を含む測光領域に重み付けされた公知の測光演算を行い、この演算結果として７セグメント７４と小数点７５を用いて絞り値（Ｆ５．６）を表示する（不図示）。
【００８９】
さらに、レリーズ釦２が押し込まれてスイッチＳＷ２がＯＮされているかどうかの判定を行い（＃１１８）、スイッチＳＷ２がＯＦＦ状態であれば再びスイッチＳＷ１の状態の確認を行う（＃１２０）。また、スイッチＳＷ２がＯＮされたならばマイクロプロセッサ３０４は不図示のシャッタ制御部、絞り駆動部にそれぞれ信号を送信する。
【００９０】
そして、主ミラーをアップさせ、絞りを絞り込んだ後、ＭＧ１に通電しシャッタの先幕を開放するなどの、一連の撮影動作を行う。（＃１２０）以上不図示。
【００９１】
このとき、絞りの絞り値及びシャッタのシャッタスピードは、前記測光部１０２にて検知された露出値と設定している感度から決定される。撮像部からは内蔵のＡ／Ｄ変換部によりデジタル値に変換された撮像データが出力され、画像処理ＩＣ３０３にて画像処理（＃１２１）される。
【００９２】
さらに、その後にＪＰＥＧ＿ＩＣ  ３０７にて画像圧縮され、一旦  ＤＲＡＭ３０８に格納された後にメモリカードＩ／Ｆ３１０を経てメモリカード３１３に格納される（＃１２２）。
【００９３】
メモリカード３１３に撮影画像データが格納されて一回あたりの一連の撮影動作が完了するが、その後、カメラは再びスイッチＳＷ１がＯＮされるまで待機する（＃１０２）。
【００９４】
以上が視線検出装置を有したカメラの動作のフローチャートの説明である。
【００９５】
次に、図１０のフローチャートに示したキャリブレーションについて、図１１のフローチャートをもとに説明する。
【００９６】
図１１は視線のキャリブレーションのフローチャートである。
【００９７】
従来、視線のキャリブレーションは撮影者が二つ以上の視標を注視したときの視線を検出することにより実行していたが、本実施例においては二つの視標をファインダの明るさが異なる状態で２回注視してもらいそのときの視線を検出することにより視線のキャリブレーションを実行している。以下同図を用いて説明する。
【００９８】
撮影者が背面ＬＣＤ４６を見ながら指標を操作してＣＡＬポジションに視標をあわせると、視線のキャリブレーションモードに設定される。
【００９９】
キャリブレーションモードはキャリブレーション動作を行う「ＯＮ」モードとキャリブレーション動作を行わない「ＯＦＦ」モードとがある。
「ＯＮ」，「ＯＦＦ」のキャリブレーションモード切り換えは撮影者が背面ＬＣＤ４６を見ながら指標位置を動かすことで選択する。
【０１００】
まず、「ＯＮ」モードにおいては図２に示す上面ＬＣＤパネル３６のシャッタ秒時を表示する７セグメントを用いて「ＣＡＬ」が表示され、その他の固定セグメント表示部は全て消灯している。
【０１０１】
この時、キャリブレーションデータが未入力の場合は上面ＬＣＤパネル３６に表示された「ＣＡＬ」が点滅し、一方、キャリブレーションデータが既に入力されていれば上面ＬＣＤパネル３６に表示された「ＣＡＬ」がフル点灯するようになっている。
【０１０２】
次に「ＯＦＦ」モードにおいては、７セグメント部は「ＯＦＦ」と表示されるようになっており、常時キャリブレーションデータ未入力と同様に視線禁止モードに設定される。
【０１０３】
これは例えば記念撮影などで急に他の人に写真を取ってもらうような時など、視線検出位置を誤ってしまい誤動作するのを防ぐために視線による情報入力を禁止して撮影するのに有効である。
【０１０４】
続いて視線検出部１０４はスイッチ群１０１を介して撮影モードの確認を行う。撮影者が視線のキャリブレーションモード以外の撮影モードに切り換えていることが確認されたら（＃４０４）、ファインダ内ＬＣＤによる「ＣＡＬ」表示を消灯して、メインのルーチンであるカメラの撮影動作に復帰する。
【０１０５】
そして、上面ＬＣＤパネル３６に「ＣＡＬ」が表示されている状態で他の撮影モード（シャッタ優先ＡＥ）に切り換えれば、そのキャリブレーションデータを用いて視線検出を行い、前述の視線情報を用いた撮影動作が行えるようになっている。
【０１０６】
このようにマイクロプロセッサ３０４の内蔵ＲＡＭに記憶されているキャリブレーションデータ（視線補正データ）の性質に応じてカメラ（光学装置）は撮影に関する各種の駆動を制御している。
【０１０７】
視線検出部１０４では、視線のキャリブレーションはスイッチＳＷ１をＯＮからＯＦＦに切り換えた後にポインティングデバイス１のメインタッチセンサに指先を摺動させ指紋情報が検出できると開始するよう設定されている。
【０１０８】
撮影者が視線のキャリブレーションを行う準備が整う以前に、カメラ側でキャリブレーションを開始するのを防ぐために、視線検出部１０４はスイッチＳＷ１の状態の確認を行い（＃３１０）、スイッチＳＷ１がレリーズ釦２によって押されていてＯＮ状態であればスイッチＳＷ１がＯＦＦ状態になるまで待機する（＃３１１）。
【０１０９】
スイッチＳＷ１がＯＦＦ状態になったのち、撮影者は不図示の視標１を注視した状態で、ポインティングデバイス１のメインタッチセンサに指先を摺動させ指紋情報が検出できると（＃３１２）、視線のキャリブレーションが開始される（＃３１５）。
【０１１０】
視線検出の動作は、特開平６−８２６８１号公報に記載されている公知の方法である。
【０１１１】
視線検出部１０４は視線検出のサブルーチンからの返数である眼球の回転角θｘ，θｙ，瞳孔径ｒｐ及び各データの信頼性を記憶する（＃３１６）。
【０１１２】
引き続き、視線検出部１０４はポインティングデバイス３５のサブタッチセンサから指紋情報が得られたかどうかの確認を行う（＃３２０）。
【０１１３】
指紋情報が得られれば視標１の視線検出を終了する。
【０１１４】
精度良くキャリブレーションを行うために、撮影者にできるだけ１点を注視してもらうことが必要であり、指標１、指標２は不図示ではあるが、そのためのものである。
【０１１５】
それぞれファインダー視野の右端、左端に配置したドットマークであり、このドットマークは容易に１点を注視できるように設けたものである。
【０１１６】
次に、視線検出部１０４は、ポインティングデバイス１にあるメインタッチセンサに指を摺動させて指紋情報が検出（＃３２２）できれば視標２の視線検出を実行する（＃３２３）。
【０１１７】
視線検出部１０４は視線検出のサブルーチンからの返数である眼球の回転角θｘ，θｙ，瞳孔径ｒｐ及び各データの信頼性を記憶する（＃３２４）。
【０１１８】
これで、視標１，視標２に対する視線検出が１回ずつ行われたことになる。
【０１１９】
本実施例ではファインダの明るさが異なる状態での各視標に対する視線検出を行うためレンズの絞り込みを行う。すなわち、視線検出部１０４はマイクロプロセッサ３０４を介して不図示の絞り駆動回路に信号を送信し、撮影レンズ４０１の絞りを最小絞りに設定する（＃３２６）。この時、撮影者はファインダが暗くなったのを感じて瞳孔を大きく広げる。
【０１２０】
この状態で、＃３１１〜＃３２４の動作を繰り返すことで、ファインダの明るさが異なる状態で視標１，視標２に対しての視線のキャリブレーションデータが求まり、視線検出は終了する。
【０１２１】
視線検出が終了すると、視線検出部１０４は絞り駆動回路に信号を送信して撮影レンズ４０１の絞りを開放状態に設定する（＃３３０）。さらに視線検出部１０４に記憶された眼球の回転角θｘ，θｙ，瞳孔径ｒｐより視線のキャリブレーションデータが算出される（＃３３１）。視線のキャリブレーションデータの算出方法は以下の通りである。
【０１２２】
ピント板７上の視標１，視標２の座標をそれぞれ（ｘ１，０），（ｘ２，０），視線検出部１０４に記憶された各視標を注視した時の眼球の回転角（θｘ，θｙ）の平均値を（θｘ１，θｙ１），（θｘ２，θｙ２），（θｘ３，θｙ３），（θｘ４，θｙ４），瞳孔径の平均をｒ１，ｒ２，ｒ３，ｒ４とする。但し（θｘ１，θｙ１），（θｘ３，θｙ３）は撮影者が視標１を注視したときに検出された眼球の回転角の平均値、（θｘ２，θｙ２），（θｘ４，θｙ４）は、撮影者が視標２を注視したときに検出された眼球の回転角の平均値を表している。
【０１２３】
同様にｒ１，ｒ３は撮影者が視標１を注視したときに検出された瞳孔径の平均値、ｒ２，ｒ４は撮影者が視標２を注視したときに検出された瞳孔径の平均値である。また各データの平均値につけられたサフィックス１，２はカメラのファインダが明るい状態で視線検出したときのデータであることを示し、サフィックス３，４はカメラのファインダを暗くした状態で視線検出したときのデータであることを示している。
【０１２４】
水平方向（ｘ方向）の視線のキャリブレーションデータはデータ取得時の瞳孔径によって算出式が異なり、
（ｒ３＋ｒ４）／２＞ｒｘ＞（ｒ１＋ｒ２）／２の時
・ｋ０＝−｛（θｘ３＋θｘ４）−（θｘ１＋θｘ２）｝／｛２×ｒｘ−（ｒ１＋ｒ２）｝
・ａｘ＝（ｘ３−ｘ４）／ｍ／（θｘ３−θｘ４）
・ｂＯｘ＝−（θｘ３＋θｘ４）／２
ｒｘ≧（ｒ３＋ｒ４）／２＞（ｒ１＋ｒ２）／２の時
・ｋ０＝−｛（θｘ３＋θｘ４）−（θｘ１＋θｘ２）｝／｛（（ｒ３＋ｒ４）−（ｒ１＋ｒ２）｝
・ａｘ＝（ｘ３−ｘ４）／ｍ／｛θｘ３−θｘ４＋ｋ０×（ｒ３−ｒ４）｝
・ｂＯｘ＝−ｋ０×｛（ｒ３＋ｒ４）／２−ｒｘ｝−（θ３＋θ４）／２
と算出される。
【０１２５】
また、垂直方向（ｙ方向）の視線のキャリブレーションデータは、
・ｋｙ＝−｛（θｙ３＋θｙ４）−（θｙ１＋θｙ２）｝／｛（（ｒ３＋ｒ４）−（ｒ１＋ｒ２）｝
・ｂＯｙ＝｛（θｙ１＋θｙ２）×（ｒ３＋ｒ４）−（θｙ３＋θｙ４）×（ｒ１＋ｒ２）｝／２／｛（ｒ１＋ｒ２）−（ｒ３＋ｒ４）｝
と算出される。
【０１２６】
算出された視線のキャリブレーションデータが不適正と判定されると（＃３３２）、さらに視線検出部１０４は、マイクロプロセッサ３０４を介してＬＣＤ駆動回路に信号を送信しファインダ内ＬＣＤの「ＣＡＬ」表示を点滅させて視線のキャリブレーションが失敗したことを警告する（＃３４０）。そして、キャリブレーションルーチンの初期ステップ（＃４０１）に移行し再度視線のキャリブレーションを実行できる状態に設定される。
【０１２７】
また、算出された視線のキャリブレーションデータが適正であれば（＃３３２）、視線検出部１０４はＬＣＤ駆動回路を介してファインダ内ＬＣＤに「ＥＮＤ」表示を行い、キャリブレーションを終了する（＃３３２）。
【０１２８】
視線検出部１０４は、さらに算出された視線のキャリブレーションデータ、撮影者の眼鏡情報及び算出された視線のキャリブレーションデータの信頼性をキャリブレーションデータに相当するＲＡＭのアドレス上に記憶する（＃３３５）。この時、記憶を行おうとするＲＡＭのアドレス上に、既に視線のキャリブレーションデータが記憶されている場合は、キャリブレーションデータの更新を行う。
【０１２９】
また、さらに、メインタッチセンサにより得られた指紋情報とサブタッチセンサにより得られた指紋情報とをキャリブレーションデータとペアとなるようにして記憶する。
【０１３０】
このように視線補正データとそのユーザーを指紋情報で特定できるようにしておくことで、光学装置の高精度制御を簡単な操作でできるようにしている。
【０１３１】
一連の視線のキャリブレーション終了後、カメラは撮影者によって他の撮影モードを選択したならば、視線検出部１０４はスイッチ群１０１を介して撮影モードの変更を検知し（＃３３７）、メインのルーチンに復帰する。
【０１３２】
メインのルーチンに復帰する際、キャリブレーションデータが入力されていなければ、視線検出部１０４は強制的に視線禁止モードに設定する。
【０１３３】
以上説明したように、視線検出機能を有効に使う際に必要となるユーザー固有のキャリブレーションにおいて、キャリブレーションデータとユーザーの整合を、一連のカメラ操作の中から意識することなく求めた指紋情報を使って行うことができる。
【０１３４】
（その他の実施例）
その他、ユーザーを特定の目的として視線検出装置を例に説明したが、カメラがデジタルカメラでなく銀塩フィルムカメラであったりビデオカメラであっても視線検出装置を有するものであれば構わない。
【０１３５】
また、ユーザーの特定を目的とする視線検出装置に限られるものではないことは言うまでもない。
【０１３６】
また、情報入力装置としては特に２次元的なものへの利用が効果的であり、撮影後の再生画像を背面ＬＣＤに表示し、特定部位を拡大表示したいときにその部位を指示入力する際にも、情報入力装置として利用することができる。
【０１３７】
また、従来のカメラにおける回転ダイヤル式情報入力装置の更新として実施例を示したが、情報入力装置としてこれに特定されるものではない。
【０１３８】
上記実施の各形態において、ポインティングデバイス１００が本発明の指紋検出型情報入力手段および情報入力手段に相当し
焦点調節部１０３が本発明の焦点検出手段に相当し、
視線検出部１０４が本発明の視線検出手段に相当する。
【０１３９】
以上が実施例の各構成と本発明の各構成の対応関係であるが、本発明は、これら実施例の構成に限られるものではなく、実施例で示した内容とは異なっていても、請求項で示した機能が達成できる構成であれば良いことは言うまでもない。
【図面の簡単な説明】
【０１４０】
【図１】本実施の第１の形態のカメラ背面図である。
【図２】本実施の第１の形態のカメラ上面図である。
【図３】本実施の第１の形態の電気システムを示すブロック図である。
【図４】本実施の第１の形態のカメラのファインダ−を覗いた様子とそのときの焦点検出領域の関係を示す図である。
【図５】本実施の第１の形態の指紋検出と手動方向について示す図
【図６】本実施の第１の形態の摺動方向と焦点検出領域移動の関係を示す図
【図７】本実施の第１の形態の摺動方向と焦点検出領域移動の関係を示す図
【図８】本実施の第１の形態の摺動方向と焦点検出領域移動の関係を示す図
【図９】本実施の第１の形態の摺動方向と焦点検出領域移動の関係を示す図
【図１０】本実施の第２の形態のフローチャートを示す図
【図１１】本実施の第２の形態のフローチャートを示す図
【符号の説明】
【０１４１】
３０１  撮像部
３０３  画像処理部
３０４  マイクロプロセッサ
３０７  ｊｐｅｇ画像デ−タ生成部
３０８  ＤＲＡＭ
３０９  外部インタ−フェイス
３１０  メモリカードインターフェイス
３１１  デ−タバス
３１３  メモリカード
１００  ポインティングデバイス
１０１  スイッチ群
１０２  測光部
１０３  焦点調節部
１０４  視線検出部
２０３  ＬＣＤモニタ
４０１  着脱可能なレンズ
１１  カメラ本体
１  指紋検出型ポインティングデバイス
２  シャッター釦
８  露出制御モ−ドの中から１つを選択する露出制御モ−ド選択釦である。
９  焦点検出を行うフォ−カスモ−ド選択釦である。
１０  測光モード選択釦
２１  電源スイッチ
３２  接眼部，
３５  指紋検出型ポインテイングデバイス
３６  上面ＬＣＤパネル
３９  後述する焦点検出領域の中から１つを選択する焦点検出領域選択釦である。
４２  各種設定背面釦群
４６  背面ＬＣＤパネル
【図１】
2006157154.tif 000003
【図２】
2006157154.tif 000004
【図３】
2006157154.tif 000005
【図４】
2006157154.tif 000006
【図９】
2006157154.tif 000007
【図１０】
2006157154.tif 000008
【図１１】
2006157154.tif 000009
【図５】
2006157154.tif 000010
【図６】
2006157154.tif 000011
【図７】
2006157154.tif 000012
【図８】
2006157154.tif 000013